(57)【要約】【課題】原稿の画像を容易かつ適切に編集して複写できるようにする。【解決手段】画像形成装置１に、原稿を読み取って画像データＧＤを生成するスキャナ２０ｇと、画像データＧＤから、画像の種類に応じて区画された領域についての属性情報を検出する情報検出部２３と、情報検出部２３によって検出された属性情報に基づいて行われるユーザの指示に応じて、領域単位で、画像に解像度変換の処理を実行して画像データＧＤを変更する解像度変換部２５および画像置換処理部２６と、変更された画像データＧＤに基づく画像を記録媒体に印刷する印刷部２０ｈと、を設ける。【選択図】図２
2010004151.tif 000002
【特許請求の範囲】
【請求項１】
原稿を読み取って画像データを生成する読み取り手段と、
前記読み取り手段によって生成された前記画像データから、画像の種類に応じて区画された領域についての属性情報を検出する情報検出手段と、
前記情報検出手段によって検出された前記属性情報に基づいて行われるユーザの指示に応じて、領域単位で、前記画像に解像度変換の処理を実行して前記画像データを変更する変更手段と、
前記変更手段によって変更された前記画像データに基づく画像を記録媒体に印刷する印刷手段と、
を有することを特徴とする画像形成装置。
【請求項２】
前記変更手段は、前記解像度変換の処理において、一の前記画像の大きさおよび形成位置を他の前記画像に適用して当該他の画像を形成し、前記他の画像の大きさおよび形成位置を前記一の画像に適用して当該一の画像を形成するように、前記画像データを変更する、
請求項１記載の画像形成装置。
【請求項３】
前記属性情報は、画像の属性を示す領域属性情報および当該画像の記録媒体上の位置を示す位置情報を含む、
請求項１または２記載の画像形成装置。
【請求項４】
前記領域属性情報は、写真画像であるか否かを示す写真情報、図形であるか否かを示す図形情報および文字であるか否かを示す文字情報を含む、
請求項３記載の画像形成装置。
【請求項５】
前記画像データに基づいて、写真領域、図形領域および文字領域を示す領域属性データを生成する領域判別手段と、
前記画像データに前記属性情報を埋め込む情報埋め込み手段と、を有し、
前記情報埋め込み手段は、前記領域判別手段により生成された前記領域属性データに基づいて前記属性情報を埋め込む、
請求項１ないし４のいずれかに記載の画像形成装置。
【請求項６】
前記画像データに前記属性情報を埋め込む情報埋め込み手段を有し、
前記情報埋め込み手段は、外部から入力された、写真領域、図形領域および文字領域を示す領域属性データに基づいて前記属性情報を埋め込む、
請求項１ないし４のいずれかに記載の画像形成装置。
【請求項７】
前記情報埋め込み手段は、前記属性情報を地紋パターンとして前記画像データに埋め込む、
請求項５または６記載の画像形成装置。
【請求項８】
原稿を読み取って画像データを生成するステップと、
生成された前記画像データから、画像の種類に応じて区画された領域についての属性情報を検出するステップと、
検出された前記属性情報に基づいて行われるユーザの指示に応じて、領域単位で、前記画像に解像度変換の処理を実行して前記画像データを変更するステップと、
変更された前記画像データに基づく画像を記録媒体に印刷するステップと、
を有することを特徴とする画像形成方法。
【請求項９】
前記画像データは、前記解像度変換の処理において、一の前記画像の大きさおよび形成位置を他の前記画像に適用して当該他の画像を形成し、前記他の画像の大きさおよび形成位置を前記一の画像に適用して当該一の画像を形成するように変更される、
請求項８記載の画像形成方法。
【請求項１０】
前記属性情報は、画像の属性を示す領域属性情報および当該画像の記録媒体上の位置を示す位置情報を含む、
請求項８または９記載の画像形成方法。
【請求項１１】
前記領域属性情報は、写真画像であるか否かを示す写真情報、図形であるか否かを示す図形情報および文字であるか否かを示す文字情報を含む、
請求項１０記載の画像形成方法。
【請求項１２】
前記画像データに基づいて、写真領域、図形領域および文字領域を示す領域属性データを生成するステップと、
生成された前記領域属性データに基づいて前記画像データに前記属性情報を埋め込むステップと、を有する、
請求項８ないし１１のいずれかに記載の画像形成方法。
【請求項１３】
外部から入力された、写真領域、図形領域および文字領域を示す領域属性データに基づいて、前記画像データに前記属性情報を埋め込むステップを有する、
請求項８ないし１１のいずれかに記載の画像形成方法。
【請求項１４】
前記画像データに前記属性情報を埋め込むステップにおいては、前記属性情報を地紋パターンとして前記画像データに埋め込む、
請求項１２または１３記載の画像形成方法。
【請求項１５】
原稿を読み取って画像データを生成する処理と、
生成された前記画像データから、画像の種類に応じて区画された領域についての属性情報を検出する処理と、
検出された前記属性情報に基づいて行われるユーザの指示に応じて、領域単位で、前記画像に解像度変換の処理を実行して前記画像データを変更する処理と、
変更された前記画像データに基づく画像を記録媒体に印刷する処理と、
をコンピュータに実行させるためのプログラムを格納したことを特徴とするコンピュータ読み取り可能な記憶媒体。
【請求項１６】
原稿を読み取って画像データを生成する処理と、
生成された前記画像データから、画像の種類に応じて区画された領域についての属性情報を検出する処理と、
検出された前記属性情報に基づいて行われるユーザの指示に応じて、領域単位で、前記画像に解像度変換の処理を実行して前記画像データを変更する処理と、
変更された前記画像データに基づく画像を記録媒体に印刷する処理と、
をコンピュータに実行させることを特徴とするコンピュータプログラム。
【発明の詳細な説明】
【技術分野】
【０００１】
本発明は、ＭＦＰ等の画像形成装置、画像形成方法および画像形成プログラムに関する。
【背景技術】
【０００２】
従来より、画像形成を行う画像形成装置、例えば、複写機、プリンタ、ファクシミリのほか、複合機またはＭＦＰ（Multi Function Peripherals）と呼称される多機能機等が会社等のオフィスで使用されている。
【０００３】
画像形成装置の性能の向上と並行して付加機能の開発が絶え間なく続けられており、既に様々な付加機能が提案されている。例えば、以下のような機能が提案されている。予め定められた特定画像情報付加条件に従って、その付加条件に該当する画像データに対して付加条件に応じて定められた形態で特定画像情報を埋め込む。特定画像情報が埋め込まれた印刷画像を複写機を用いて複写しようとすると、その特定画像情報を検出した複写機が複写印刷を出力しないようにしたり、あるいは、「コピー禁止」等の文字を印刷して出力する（特許文献１）。また、同じような機能として、不正コピーを防止するためのセキュリティ情報を複写時に埋め込むものがある（特許文献２）。
【０００４】
さらに、次のような機能がある。複写時の設定条件の情報を予め原稿に埋め込んでおき、当該原稿を複写する際に、埋め込まれている設定条件の情報を読み取って、当該設定条件に基づいて複写を行うものがある（特許文献３）。このような構成により、オペレータが様々な機能を改めて設定する必要がなくなるので、操作ミスが低減されるとともに作業時間が低減される。
【特許文献１】特開２００７−１３５８１号公報
【特許文献２】特開２００３−３３７６８７号公報
【特許文献３】特開平１１−１８７２４７号公報
【発明の開示】
【発明が解決しようとする課題】
【０００５】
しかしながら、上記特許文献１〜３の方法では、写真、グラフ等の図形または文字等の画像を含む原稿を複写する際に、これらの画像を編集することはできない。例えば、写真、グラフおよび文字から構成される原稿においてグラフが小さく、写真が大きく形成されている場合に、ユーザは拡大されたグラフを見たいことがある。そこで、通常の拡大複写を行って、グラフを拡大することは可能であるが、当該グラフ以外の領域までもが拡大されてしまうことになる。その結果、文字や写真が部分的に複写されないことになる。また、見たい領域を拡大し複写しても、位置合わせや倍率設定を適切に行うことができず、所望の出力画像を得ることができない場合がある。
【０００６】
本発明は、このような問題点に鑑み、原稿の画像を容易かつ適切に編集して複写できるようにすることを目的とする。
【課題を解決するための手段】
【０００７】
本発明の一形態に係る画像形成装置は、原稿を読み取って画像データを生成する読み取り手段と、前記読み取り手段によって生成された前記画像データから、画像の種類に応じて区画された領域についての属性情報を検出する情報検出手段と、前記情報検出手段によって検出された前記属性情報に基づいて行われるユーザの指示に応じて、領域単位で、前記画像に解像度変換の処理を実行して前記画像データを変更する変更手段と、前記変更手段によって変更された前記画像データに基づく画像を記録媒体に印刷する印刷手段と、を有する。
【０００８】
好ましくは、前記変更手段は、前記解像度変換の処理において、一の前記画像の大きさおよび形成位置を他の前記画像に適用して当該他の画像を形成し、前記他の画像の大きさおよび形成位置を前記一の画像に適用して当該一の画像を形成するように、前記画像データを変更する。
【０００９】
または、前記属性情報は、画像の属性を示す領域属性情報および当該画像の記録媒体上の位置を示す位置情報を含む。
【発明の効果】
【００１０】
本発明によると、原稿の画像を容易かつ適切に編集して複写することが可能となる。
【発明を実施するための最良の形態】
【００１１】
図１は画像形成装置１のハードウェア構成の例を示す図、図２は画像形成装置１の機能的構成の例を示す図、図３は原稿に領域属性情報および位置情報を埋め込む方法の例を示す図、図４は原稿に領域属性情報および位置情報を埋め込む方法の他の例を示す図である。
【００１２】
画像形成装置１は、コピー、スキャナ、ファックス、ネットワークプリンティング、およびドキュメントサーバ等の様々な機能を集約した処理装置である。画像形成装置１は複合機またはＭＦＰ（Multi Function Peripherals）等と呼ばれることもある。
【００１３】
「ドキュメントサーバ」とは、ユーザごとに、「個人ボックス」または「ボックス」等と呼ばれる、パーソナルコンピュータにおけるフォルダまたはディレクトリ等に相当する記憶領域を設け、管理する機能である。「ボックス機能」と呼ばれることもある。ユーザは、自分の個人ボックスに画像データ等をファイル単位で保存しておくことができる。
【００１４】
画像形成装置１は、公共団体（政府、地方自治体）または企業等のオフィス、学校または図書館等の公共施設、その他種々の場所に設置され、複数のユーザによって共用することができる。
【００１５】
画像形成装置１は、図１に示すように、ＣＰＵ２０ａ、ＲＡＭ２０ｂ、ＲＯＭ２０ｃ、ハードディスク２０ｄ、制御用回路２０ｅ、操作パネル２０ｆ、スキャナ２０ｇ、印刷部（エンジン）２０ｈ、ＬＡＮインタフェース２０ｊ、およびＦＡＸモデム２０ｋ等によって構成される。
【００１６】
制御用回路２０ｅは、ハードディスク２０ｄ、操作パネル２０ｆ、スキャナ２０ｇ、印刷部２０ｈ、ＬＡＮインタフェース２０ｊ、およびＦＡＸモデム２０ｋ等を制御するための回路である。
【００１７】
スキャナ２０ｇは、原稿に描かれている文章、数式、記号、写真、図表、またはイラスト等のコンテンツの画像を光学的に読み取って画像データを生成する。
【００１８】
印刷部２０ｈは、スキャナ２０ｇによって得られた画像データに基づく画像を用紙（記録媒体）に印刷する。
【００１９】
ＬＡＮインタフェース２０ｊは、他の画像形成装置等と通信を行うためのＮＩＣ（Network Interface Card）であって、画像形成装置１とハブまたはルータとを接続するために用いられる。
【００２０】
ＦＡＸモデム２０ｋは、他の画像形成装置またはＦＡＸ端末等とファックスプロトコルによる通信を行う装置である。
【００２１】
操作パネル２０ｆは、タッチパネル式の液晶ディスプレイから構成される後述の表示部２１およびテンキー等から構成される操作部によって構成される。表示部２１には、ユーザに対してメッセージまたは指示を与えるための画面、ユーザが所望する処理の種類および処理条件を入力するための画面、およびＣＰＵ２０ａ等で実行された処理の結果を示す画面等が表示される。
【００２２】
ユーザは、上記の画面を見ながら表示部２１または操作部を操作することによって、画像形成装置１に対して、処理の実行開始または中断等の指令を与え、データの宛先、印刷条件、またはスキャン条件等の処理条件を指定し、その他種々の事項を指定することができる。つまり、操作パネル２０ｆは、画像形成装置１を操作するユーザのためのユーザインタフェースの役割を果たしている。
【００２３】
画像形成装置１は、図２に示すように、情報埋め込み部２２、情報検出部２３、画像データ抽出部２４、解像度変換部２５、画像置換処理部２６、および領域判別部２７等によって構成される。
【００２４】
情報埋め込み部２２、情報検出部２３、画像データ抽出部２４、解像度変換部２５、画像置換処理部２６、および領域判別部２７は、ＣＰＵ２０ａ、ＲＡＭ２０ｂ、ＲＯＭ２０ｃ、その他の周辺素子等からなる処理部ＳＨによって機能的に実現されている。処理部ＳＨはコンピュータとして動作することが可能である。ＣＰＵ２０ａ等の全体または一部が、マイクロコンピュータまたはＡＳＩＣ（Application Specific Integrated Circuit)などとしてＬＳＩ化されて用いられることがある。
【００２５】
処理部ＳＨには、情報埋め込み部２２、情報検出部２３、画像データ抽出部２４、解像度変換部２５、画像置換処理部２６、および領域判別部２７の各機能を実現するためのコンピュータプログラムが組み込まれている。このようなプログラムは、当該プログラムが記録されたＣＤ−ＲＯＭ、ＤＶＤ−ＲＯＭ等の記録媒体ＢＴ１や半導体メモリ等の記録媒体ＢＴ２を含む可搬型の記録媒体ＢＴからインストールすることが可能である。また、ネットワークを介してサーバからプログラムをダウンロードすることも可能である。
【００２６】
ここで、埋め込み情報として、画像の種類に応じて区画された領域についての属性情報、つまり、領域属性情報および位置情報を、写真、グラフおよび文字からなる画像が形成された原稿に埋め込む際の上記各構成部の動作について説明する。なお、領域属性情報および位置情報については後述する。
【００２７】
まず、スキャナ２０ｇによって原稿が読み取られ画像データＧＤが生成される。
【００２８】
領域判別部２７は、スキャナ２０ｇによって生成された画像データＧＤに基づいて領域判別を行って、領域属性データＲＤを生成する。例えば、領域判別部２７は、図３に示すように、文字画像ＭＧ、写真画像ＳＧおよびグラフからなる図形画像ＺＧによって構成される原稿ＧＥの画像データＧＤに基づいて領域判別を行う。すると、文字画像ＭＧに対応する文字領域ＭＲの情報、写真画像ＳＧに対応する写真領域ＳＲの情報、および図形画像ＺＧに対応する図形領域ＺＲの情報を含む領域属性データＲＤが生成される。
【００２９】
情報埋め込み部２２は、領域判別部２７によって生成された領域属性データＲＤに基づいて、画像データＧＤに領域属性情報ＲＪおよび位置情報ＩＪを付加する。そして、印刷部２０ｈは、領域属性情報ＲＪおよび位置情報ＩＪが付加された画像データＧＤに基づく画像を用紙に印刷する。図３に示すように、印刷部２０ｈによる印刷によって得られた複写物ＨＳには、文字画像ＭＧ、写真画像ＳＧおよび図形画像ＺＧが形成されるとともに、領域属性情報ＲＪおよび位置情報ＩＪが地紋パターンＺＰとして形成される。なお、地紋パターンＺＰの代わりに、バーコード、ＱＲコード（登録商標）や透かし技術を採用して領域属性情報ＲＪおよび位置情報ＩＪを埋め込んでもよい。
【００３０】
上記の領域属性情報ＲＪは、文字画像ＭＧ、写真画像ＳＧおよび図形画像ＺＧの属性を示す情報である。
【００３１】
上記の位置情報ＩＪは、文字画像ＭＧ、写真画像ＳＧおよび図形画像ＺＧが用紙に形成される位置を示す情報である。本実施形態では、位置情報ＩＪは２次元座標情報であり、例えば、文字画像ＭＧが存在する領域である文字領域ＭＲについての位置情報ＩＪは、図３に示すように、当該文字領域ＭＲを構成する頂点Ｐ１〜Ｐ６の２次元座標情報である。写真領域ＳＲおよび図形領域ＺＲについての位置情報ＩＪについても同様である。
【００３２】
また、次のように、領域属性情報ＲＪおよび位置情報ＩＪを埋め込んでもよい。図４に示すように、ユーザは端末装置に予めインストールされている所定のアプリケーションソフトを用いて、文字画像ＭＧ、写真画像ＳＧおよび図形画像ＺＧを含む画像データＧＤを生成する。そして、ユーザはアプリケーションソフト（プリンタドライバ）によって領域属性データＲＤを生成する。これらの画像データＧＤおよび領域属性データＲＤを通信回線を介して画像形成装置１に送信する。画像形成装置１は、上で述べた方法と同様に、領域属性データＲＤに基づいて、画像データＧＤに領域属性情報ＲＪおよび位置情報ＩＪを付加し、複写物ＨＳを作成する。
【００３３】
続いて、領域属性情報ＲＪおよび位置情報ＩＪが埋め込まれた原稿の複写の際に、画像を編集して複写物を得る場合の上記各構成部の動作について説明する。
【００３４】
図５は画像編集の設定画面を表示する表示部２１の例を示す図、図６は画像編集を行う場合の各構成部の動作のイメージの例を示す図、図７は画像編集を行う場合の各構成部の動作のイメージの他の例を示す図である。
【００３５】
まず、原稿として、上で説明した方法で領域属性情報ＲＪおよび位置情報ＩＪが埋め込まれた複写物ＨＳがスキャナ２０ｇに読み取られ画像データＧＤが生成される。
【００３６】
領域判別部２７は、スキャナ２０ｇによって生成された上記の画像データＧＤに基づいて領域判別を行って、領域属性データＲＤを生成する。
【００３７】
情報検出部２３は、画像データＧＤから、画像の種類に応じて区画された領域についての属性情報、つまり、領域属性情報ＲＪおよび位置情報ＩＪを検出する。
【００３８】
そして、情報検出部２３は、検出した領域属性情報ＲＪから、文字画像ＭＧ、写真画像ＳＧおよび図形画像ＺＧが存在するか否かを判別する、すなわち、画像データＧＤに含まれている属性を判別し、当該属性を識別および選択するための画面を表示部２１に表示させる。
【００３９】
この場合、表示部２１には、スキャナ２０ｇで読み取った複写物ＨＳの複写画像ＨＧが表示されるとともに、ユーザが押下するための写真選択ボタン３１、図形選択ボタン３２、文字選択ボタン３３、確定ボタン３４、実行ボタン３５、および拡大ボタン３６が表示される。
【００４０】
表示部２１に表示される複写画像ＨＧには、文字画像ＭＧ、写真画像ＳＧおよび図形画像ＺＧが含まれる。
【００４１】
ここで、ユーザは、文字画像ＭＧ、写真画像ＳＧおよび図形画像ＺＧのうち、大きさおよび配置を入れ替えて適用したい画像を選択する。
【００４２】
例えば、写真画像ＳＧの大きさおよび形成位置を図形画像ＺＧに適用して、当該図形画像ＺＧを複写し、図形画像ＺＧの大きさおよび形成位置を写真画像ＳＧに適用して、当該写真画像ＳＧを複写したい場合には、ユーザは写真選択ボタン３１および図形選択ボタン３２を押下する。なお、ユーザによって写真選択ボタン３１および図形選択ボタン３２が押下されると、ユーザが押下したことを認識できるように、写真選択ボタン３１および図形選択ボタン３２の色が反転表示される。
【００４３】
ユーザは、上記の選択を確定するときは確定ボタン３４を押下し、処理を実行するときは実行ボタン３５を押下する。
【００４４】
ユーザによってこのような操作が行われると、画像データ抽出部２４は、図６（Ａ）に示すように、写真画像ＳＧの情報と図形画像ＺＧの情報とを抽出する。抽出された写真画像ＳＧの高さをＸとし、幅をＹとする。また、抽出された図形画像ＺＧの高さをＶとし、幅をＷとする。
【００４５】
解像度変換部２５は、図６（Ｂ）に示すように、抽出された写真画像ＳＧに対して図形画像ＺＧの大きさを適用する解像度変換を行い、抽出された図形画像ＺＧに対して写真画像ＳＧの大きさを適用する解像度変換を行う。
【００４６】
すなわち、解像度変換部２５は、写真画像ＳＧの高さＸを、図形画像ＺＧの高さＶと同じ高さまで大きくし、当該写真画像ＳＧの幅Ｙを、当該図形画像ＺＧの幅Ｗと同じ幅まで大きくする。
【００４７】
また、解像度変換部２５は、図形画像ＺＧの高さＶを、写真画像ＳＧの高さＸと同じ高さまで小さくし、当該図形画像ＺＧの幅Ｗを、当該写真画像ＳＧの幅Ｙと同じ幅まで小さくする。
【００４８】
このように、写真画像ＳＧが解像度変換（拡大）されることによって変換後写真画像ＳＧｈが得られ、図形画像ＺＧが解像度変換（縮小）されることによって変換後図形画像ＺＧｈが得られる。
【００４９】
画像置換処理部２６は、図６（Ｃ）に示すように、変換後写真画像ＳＧｈを変換前の図形画像ＺＧの形成位置に形成し、変換後図形画像ＺＧｈを変換前の写真画像ＳＧの形成位置に形成する。そして、印刷部２０ｈは、変換後写真画像ＳＧｈおよび変換後図形画像ＺＧｈが上記のように形成された複写物ＨＳｔを出力する。
【００５０】
ここで、ユーザが文字画像ＭＧ、写真画像ＳＧおよび図形画像ＺＧのうち、一の画像を拡大して別用紙に印刷することを望む場合には、以下のように処理が行われる。
【００５１】
例えば、ユーザは、写真画像ＳＧを拡大して別用紙に印刷したい場合には、図５の表示部２１の拡大ボタン３６を押下した後、写真選択ボタン３１を押下し、上記と同様に、確定ボタン３４および実行ボタン３５を押下する。
【００５２】
すると、画像データ抽出部２４は、図７（Ａ）に示すように、写真画像ＳＧを抽出する。上記と同様に、抽出された写真画像ＳＧの高さをＸとし、幅をＹとする。
【００５３】
解像度変換部２５は、図７（Ｂ）に示すように、抽出された写真画像ＳＧに対して用紙サイズの大きさを適用する解像度変換を行う。すなわち、解像度変換部２５は、印刷の向きが縦方向に設定されている場合には、写真画像ＳＧの幅Ｙを、用紙の印刷領域の最大限の幅Ｙ×α（αは任意の整数）まで大きくし、当該写真画像ＳＧの高さＸをＸ×αまで大きくする。なお、印刷の向きが横方向に設定されている場合には、解像度変換部２５は、写真画像ＳＧの高さＸを、用紙の印刷領域の最大限の高さＸ×β（βは任意の整数）まで大きくし、当該写真画像ＳＧの幅ＹをＹ×βまで大きくする。
【００５４】
このように、写真画像ＳＧが解像度変換（拡大）されることによって変換後写真画像ＳＧｈが得られる。
【００５５】
画像置換処理部２６は、図７（Ｃ）に示すように、文字画像ＭＧおよび図形画像ＺＧを第１頁に形成し、変換後写真画像ＳＧｈを第２頁に形成する。そして、印刷部２０ｈは、文字画像ＭＧおよび図形画像ＺＧが形成された第１頁および変換後写真画像ＳＧｈが形成された第２頁から構成される複写物ＨＳｔを出力する。なお、解像度変換前の写真画像ＳＧを第１頁に形成してもよい。
【００５６】
図８は画像データＧＤの変更処理の流れの例を説明するフローチャートである。
【００５７】
図８に示すように、まず、原稿を読み取って画像データＧＤを生成する（＃１）。次に、生成された画像データＧＤから、画像の種類に応じて区画された領域についての属性情報、すなわち、領域属性情報ＲＪおよび位置情報ＩＪを検出する（＃２）。そして、検出された上記属性情報に基づいて行われるユーザの指示に応じて、領域単位で、解像度変換の処理を実行して画像データＧＤを変更する（＃３）。この場合、例えば、上で述べたように、抽出された写真画像ＳＧに対して図形画像ＺＧの大きさを適用する解像度変換を行い、抽出された図形画像ＺＧに対して写真画像ＳＧの大きさを適用する解像度変換を行う。続いて、解像度変換の処理によって変更された画像データＧＤに基づく画像を記録媒体に印刷する（＃４）。
【００５８】
（本実施形態における効果）
本実施形態に係る画像形成装置１によれば、原稿ＧＥに含まれる文字画像ＭＧ、写真画像ＳＧおよび図形画像ＺＧのうち、ユーザが所望する画像を、領域単位で、拡大または縮小することが可能となる。
【００５９】
上で述べたように、原稿ＧＥの写真画像ＳＧを拡大して複写したい場合で、重要性等の観点から図形画像ＺＧを縮小して複写してもよい場合には、図形画像ＺＧの大きさおよび形成位置を写真画像ＳＧに適用することによって、領域単位で、つまり、写真画像ＳＧのみを拡大して複写することができる。一方、写真画像ＳＧの大きさおよび形成位置を図形画像ＺＧに適用することによって、領域単位で、つまり、図形画像ＺＧのみを縮小して複写することができる。
【００６０】
また、写真画像ＳＧを、用紙の印刷領域において可能な限り拡大して複写したい場合には、領域単位で、つまり、当該写真画像ＳＧのみを別用紙に拡大して複写することができる。
【００６１】
このように、領域単位で複写することによって、所望の画像以外の画像までもが拡大または縮小されてしまうことがなくなる。したがって、複写物が見易くなる。
【００６２】
また、原稿ＧＥを原稿台にセットするときの位置合わせや倍率設定を行わなくても済むので、ユーザの作業負担を著しく低減することができる。
【００６３】
したがって、画像形成装置１によると、原稿ＧＥの文字画像ＭＧ、写真画像ＳＧおよび図形画像ＺＧを、容易かつ適切に編集して複写することが可能となる。
【００６４】
（他の実施形態）
上記実施形態では、写真画像ＳＧを別用紙に印刷する場合に、用紙の印刷領域に基づいて当該写真画像ＳＧを拡大することとしたが、印刷が可能な範囲でユーザが拡大率を指定してもよい。
【００６５】
また、解像度変換後の複写物ＨＳｔに、当該複写物ＨＳｔに含まれる各画像の領域属性情報ＲＪおよび位置情報ＩＪを埋め込んでもよい。
【００６６】
その他、画像形成装置１の全体または各部の構成、処理内容、処理順序等は、本発明の趣旨に沿って適宜変更することが可能であり、この場合にも上記の特有かつ格別の効果が奏される。
【図面の簡単な説明】
【００６７】
【図１】画像形成装置のハードウェア構成の例を示す図である。
【図２】画像形成装置の機能的構成の例を示す図である。
【図３】原稿に領域属性情報および位置情報を埋め込む方法の例を示す図である。
【図４】原稿に領域属性情報および位置情報を埋め込む方法の他の例を示す図である。
【図５】画像編集の設定画面を表示する表示部の例を示す図である。
【図６】画像編集を行う場合の各構成部の動作のイメージの例を示す図である。
【図７】画像編集を行う場合の各構成部の動作のイメージの他の例を示す図である。
【図８】画像データの変更処理の流れの例を説明するフローチャートである。
【符号の説明】
【００６８】
１  画像形成装置
２０ａ  ＣＰＵ（コンピュータ）
２０ｆ  操作パネル
２０ｇ  スキャナ（読み取り手段）
２０ｈ  印刷部（印刷手段）
２２  情報埋め込み部（情報埋め込み手段）
２３  情報検出部（情報検出手段）
２４  画像データ抽出部
２５  解像度変換部（変更手段）
２６  画像置換処理部（変更手段）
２７  領域判別部（領域判別手段）
ＳＨ  処理部（コンピュータ）
ＢＴ  記録媒体
ＧＥ  原稿
ＧＤ  画像データ
ＩＪ  位置情報（属性情報）
ＭＧ  文字画像
ＲＤ  領域属性データ
ＲＪ  領域属性情報（属性情報）
ＳＧ  写真画像
ＺＧ  図形画像
ＺＰ  地紋パターン
【図１】
2010004151.tif 000003
【図２】
2010004151.tif 000004
【図３】
2010004151.tif 000005
【図４】
2010004151.tif 000006
【図５】
2010004151.tif 000007
【図６】
2010004151.tif 000008
【図７】
2010004151.tif 000009
【図８】
2010004151.tif 000010